(57)【要約】【課題】  天井埋込み形室内機において、天井裏に配置された通風ダクトへの露付きを確実に防止することができる室内機ユニットの制御方法、空気調和機の制御方法、室内機ユニットおよび空気調和機を提供する。【解決手段】  天井裏に配置された筐体と、該筐体内に配置され、冷媒と室内空気とを熱交換させる室内熱交換器１９Ａと、熱交換された室内空気を室内に導く通風ダクトと、筐体の外部に設けられた天井裏における空気の湿度を検出する露付き情報検出部４１Ａ，４３Ａと、通風ダクト内を流れる空気温度を調整する吹き出し空気温度調整部１３７Ａと、を有する室内機ユニット５Ａの制御方法であって、露付き情報検出部４１Ａ，４３Ａにより検出された湿度が、所定の湿度より高い場合、吹き出し空気温度調整部１３７Ａが、通風ダクト内を流れる空気温度を所定温度だけ高くすることを特徴とする。【選択図】  図８
2006336888.tif 000002
【特許請求の範囲】
【請求項１】
天井裏に配置された筐体と、
該筐体内に配置され、外部から供給された冷媒と室内空気とを熱交換させる室内熱交換器と、
前記筐体内に配置され、室内空気を吸込むとともに前記室内熱交換器に導通させる室内ファンと、
前記天井裏に配置されるとともに熱交換された室内空気を室内に導く通風ダクトと、
前記筐体の外部に設けられるとともに、少なくとも前記天井裏における空気の湿度を検出する露付き情報検出部と、
前記通風ダクト内を流れる空気温度を調整する吹き出し空気温度調整部と、
を有する室内機ユニットの制御方法であって、
前記露付き情報検出部により検出された湿度が、所定湿度より高い場合、
吹き出し空気温度調整部が、前記通風ダクト内を流れる空気温度を所定温度だけ高くすることを特徴とする室内機ユニットの制御方法。
【請求項２】
前記露付き情報検出部が、前記天井裏における空気の相対湿度を検出する相対湿度検出部と、前記天井裏における空気の温度を検出する空気温度検出部とを有し、
前記相対湿度検出部が検出した相対湿度が、前記空気温度検出部が検出した空気温度に対する所定の相対湿度より高い場合、
吹き出し空気温度調整部が、前記通風ダクト内を流れる空気温度を所定温度だけ高くすることを特徴とする請求項１記載の室内機ユニットの制御方法。
【請求項３】
前記露付き情報検出部が、前記天井裏における空気温度が露点温度以下であるか否かを検出する露点検出部を有し、
前記露点温度検出部により、前記天井裏における空気温度が露点温度以下であると検出された場合、
吹き出し空気温度調整部が、前記通風ダクト内を流れる空気温度を所定温度だけ高くすることを特徴とする請求項１記載の室内機ユニットの制御方法。
【請求項４】
前記吹き出し空気温度調整部が、前記室内ファンの回転速度を制御する室内ファン制御部であることを特徴とする請求項１から３のいずれかに記載の室内機ユニットの制御方法。
【請求項５】
天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、
前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、
前記圧縮機の回転数を調整する圧縮機制御部と、
を有する空気調和機の制御方法であって、
前記露付き情報検出部により検出された湿度が、所定湿度より高い場合、
前記圧縮機制御部が、前記圧縮機の回転数を所定回転数だけ下げることを特徴とする空気調和機の制御方法。
【請求項６】
天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、
前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、
前記絞り部の開度を制御する開度制御部と、
を有する空気調和機の制御方法であって、
前記露付き情報検出部により検出された湿度が、所定湿度より高い場合、
前記開度制御部が、前記絞り部の開度を制御することを特徴とする空気調和機の制御方法。
【請求項７】
前記露付き情報検出部が、前記天井裏における空気の相対湿度を検出する相対湿度検出部と、前記天井裏における空気の温度を検出する空気温度検出部とを有し、
前記相対湿度検出部が検出した相対湿度が、前記空気温度検出部が検出した空気温度に対する所定の相対湿度より高い場合、
前記圧縮機制御部が、前記圧縮機の回転数を所定回転数だけ下げることを特徴とする請求項５記載の空気調和機の制御方法。
【請求項８】
前記露付き情報検出部が、前記天井裏における空気の相対湿度を検出する相対湿度検出部と、前記天井裏における空気の温度を検出する空気温度検出部とを有し、
前記相対湿度検出部が検出した相対湿度が、前記空気温度検出部が検出した空気温度に対する所定の相対湿度より高い場合、
前記開度制御部が、前記絞り部の開度を制御することを特徴とする請求項６記載の空気調和機の制御方法。
【請求項９】
前記露付き情報検出部が、前記天井裏における空気温度が露点温度以下であるか否かを検出する露点検出部を有し、
前記露点温度検出部により、前記天井裏における空気温度が露点温度以下であると検出された場合、
前記圧縮機制御部が、前記圧縮機の回転数を所定回転数だけ下げることを特徴とする請求項５記載の空気調和機の制御方法。
【請求項１０】
前記露付き情報検出部が、前記天井裏における空気温度が露点温度以下であるか否かを検出する露点検出部を有し、
前記露点温度検出部により、前記天井裏における空気温度が露点温度以下であると検出された場合、
前記開度制御部が、前記絞り部の開度を制御することを特徴とする請求項６記載の空気調和機の制御方法。
【請求項１１】
請求項１から請求項４のいずれかに記載の室内機ユニットの制御方法が行なわれる室内機ユニットと、
前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、
を有することを特徴とする空気調和機の制御方法。
【請求項１２】
天井裏に配置された筐体と、
該筐体内に配置され、外部から供給された冷媒と室内空気とを熱交換させる室内熱交換器と、
前記筐体内に配置され、室内空気を吸込むとともに前記室内熱交換器に導通させる室内ファンと、
前記天井裏に配置されるとともに熱交換された室内空気を室内に導く通風ダクトと、
前記筐体の外部に設けられるとともに、少なくとも前記天井裏における空気の湿度を検出する露付き情報検出部と、
を有する室内機ユニットであって、
前記露付き情報検出部により検出された湿度が、所定湿度より高い場合、
前記通風ダクト内を流れる空気温度を所定温度だけ高くする吹き出し空気温度調整部を備えることを特徴とする室内機ユニット。
【請求項１３】
天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、
前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、
を有する空気調和機であって、
前記露付き情報検出部により検出された湿度が、所定湿度より高い場合、
前記圧縮機の回転数を所定回転数だけ下げる圧縮機制御部を備えることを特徴とする空気調和機。
【請求項１４】
天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、
前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、
を有する空気調和機であって、
前記露付き情報検出部により検出された湿度が、所定湿度より高い場合、
前記開度制御部が、前記絞り部の開度を制御することを特徴とする空気調和機。
【請求項１５】
請求項１２に記載の室内機ユニットと、
前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、を有することを特徴とする空気調和機。
【発明の詳細な説明】
【技術分野】
【０００１】
本発明は、室内機ユニットの制御方法、空気調和機の制御方法、室内機ユニットおよび空気調和機に関する。
【背景技術】
【０００２】
従来、室内空気を天井裏に配置された室内ユニットに吸込み、内部の室内熱交換器において熱交換して冷却した後、天井裏に配置された通気ダクトを介して室内ユニットから離れた場所の吹き出し口から室内に供給する空気調和機が知られている。
上述の空気調和機においては、天井裏の環境が高温多湿状態となった場合に、その内部を冷却された空気が通過する通気ダクトの表面に露が付着することがある。この露は通風ダクトから落下して天井を濡らし、天井にシミを作ったり、更には、室内にまで漏れたりする恐れがあった。
【０００３】
そのため、上述の空気調和機においては、通風ダクトへの露付きを防止する等のため、さまざまな露付きを防止する技術が提案されている（例えば、特許文献１参照。）。
【特許文献１】特開平１０−１０３７４３号公報
【発明の開示】
【発明が解決しようとする課題】
【０００４】
上述の特許文献１においては、天井裏の空気の湿度を検出する温度センサおよび湿度センサを室内ユニット中に設け、これらセンサの出力に基づいて圧縮機の能力を制御する空気調和機の技術が開示されている。
この技術によれば、圧縮機の能力を制御することで、室内熱交換器により冷却された室内空気の温度を制御できる。そのため、通気ダクト内を流通する空気温度を制御することができ、天井裏の雰囲気中における通気ダクトの外面への露付きを防止できる。
【０００５】
しかしながら、上述の特許文献１に記載の技術においては、温度センサおよび湿度センサが室内ユニット内に取り付けられているため、天井裏の空気の温度および湿度を正確に検出できない恐れがあった。そのため、圧縮機の能力を適切に制御することができず、通気ダクトの外面に露付きが生じる恐れがあった。
【０００６】
本発明は、上記の課題を解決するためになされたものであって、天井埋込み形室内機において、天井裏に配置された通風ダクトへの露付きを確実に防止することができる室内機ユニットの制御方法、空気調和機の制御方法、室内機ユニットおよび空気調和機を提供することを目的とする。
【課題を解決するための手段】
【０００７】
上記目的を達成するために、本発明は、以下の手段を提供する。
本発明の室内機ユニットの制御方法は、天井裏に配置された筐体と、該筐体内に配置され、外部から供給された冷媒と室内空気とを熱交換させる室内熱交換器と、前記筐体内に配置され、室内空気を吸込むとともに前記室内熱交換器に導通させる室内ファンと、前記天井裏に配置されるとともに熱交換された室内空気を室内に導く通風ダクトと、前記筐体の外部に設けられるとともに、少なくとも前記天井裏における空気の湿度を検出する露付き情報検出部と、前記通風ダクト内を流れる空気温度を調整する吹き出し空気温度調整部と、を有する室内機ユニットの制御方法であって、前記露付き情報検出部により検出された湿度が、所定湿度より高い場合、吹き出し空気温度調整部が、前記通風ダクト内を流れる空気温度を所定温度だけ高くすることを特徴とする。
【０００８】
本発明によれば、露付き情報検出部により検出された湿度が所定湿度より高い場合において、吹き出し空気温度調整部が通風ダクト内を流れる空気温度を所定温度だけ高くするため、通風ダクトの外面に露が付くことを防止できる。
露付き情報検出部は、筐体の外部に配置されているため、天井裏における空気と直接接触しており、上記空気の正確な湿度を検出できる。そのため、通風ダクト内を流れる空気温度を高くする必要があるとき、つまり、通風ダクトの外面に露が付きやすいときに、確実に上記空気温度を所定温度だけ高くすることができる。
【０００９】
上記発明においては、前記露付き情報検出部が、前記天井裏における空気の相対湿度を検出する相対湿度検出部と、前記天井裏における空気の温度を検出する空気温度検出部とを有し、前記相対湿度検出部が検出した相対湿度が、前記空気温度検出部が検出した空気温度に対する所定の相対湿度より高い場合、吹き出し空気温度調整部が、前記通風ダクト内を流れる空気温度を所定温度だけ高くすることが望ましい。
【００１０】
本発明によれば、相対湿度検出部が検出した相対湿度が、空気温度検出部が検出した空気温度に対する所定の相対湿度より高い場合にのみ、通風ダクト内を流れる空気温度を所定温度だけ高くするため、より確実に通風ダクトへの露付きを防止することができる。つまり、所定の相対湿度を、空気温度検出部が検出した空気温度に基づいて選択するため、通風ダクトへの露付きが起きやすい条件では、より低い所定の相対湿度を選択し、通風ダクトへの露付きをより確実に防止することができる。
【００１１】
また、所定の相対湿度を低く設定することにより、通風ダクト内を流れる空気温度の調整をより早く行うことができる。そのため、上記空気温度の急激な変化を防止することができ、使用者が感じる不快感を減らすことができる。
【００１２】
上記発明においては、前記露付き情報検出部が、前記天井裏における空気温度が露点温度以下であるか否かを検出する露点検出部を有し、前記露点温度検出部により、前記天井裏における空気温度が露点温度以下であると検出された場合、吹き出し空気温度調整部が、前記通風ダクト内を流れる空気温度を所定温度だけ高くすることが望ましい。
本発明によれば、露点検出部により、天井裏における空気温度が露点温度以下であると検出された場合に、通風ダクト内を流れる空気温度を高くするため、通風ダクトへの露付きをより確実に防止することができる。
【００１３】
上記発明においては、前記吹き出し空気温度調整部が、前記室内ファンの回転速度を制御する室内ファン制御部であることが望ましい。
本発明によれば、吹き出し空気温度調整部が室内ファン制御部であるため、室内ファンの回転速度を制御することができ、室内熱交換器に導かれる室内空気の流量を制御できる。室内熱交換器を通過する室内空気流量を増やすことにより、通過する室内空気の単位体積あたりの熱交換量が減少させることができ、通風ダクト内を流れる空気温度を所定温度だけ高くすることができる。
【００１４】
本発明の空気調和機の制御方法は、天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、前記圧縮機の回転数を調整する圧縮機制御部と、を有する空気調和機の制御方法であって、前記露付き情報検出部により検出された湿度が、所定湿度より高い場合、前記圧縮機制御部が、前記圧縮機の回転数を所定回転数だけ下げることを特徴とする。
【００１５】
本発明によれば、露付き情報検出部により検出された湿度が所定湿度より高い場合において、圧縮機制御部が圧縮機の回転数を所定回転数だけ下げるため、空気調和機における冷媒循環流量を減らし、冷凍能力を下げることができる。冷凍能力が下がると、室内熱交換器における室内空気との熱交換量が減少し、室内空気つまり通風ダクト内を流れる空気温度を所定温度だけ高くすることができる。
【００１６】
本発明の空気調和機の制御方法は、天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、前記絞り部の開度を制御する開度制御部と、を有する空気調和機の制御方法であって、前記露付き情報検出部により検出された湿度が、所定湿度より高い場合、前記開度制御部が、前記絞り部の開度を制御することを特徴とする。
【００１７】
本発明によれば、例えば、露付き情報検出部により検出された湿度が所定湿度より高い場合において、開度制御部が絞り部の開度を大きくするように制御することにより、絞り部を通過する際における冷媒の減圧程度を制御することができる。絞り部における減圧程度を制御できるため、室内熱交換器における冷媒圧力および冷媒温度を制御することができる。つまり、絞り部の開度を制御することで、室内熱交換器内の冷媒温度を上昇させることにより、通風ダクト内を流れる空気温度を所定温度だけ高くすることができる。
【００１８】
上記発明においては、前記露付き情報検出部が、前記天井裏における空気の相対湿度を検出する相対湿度検出部と、前記天井裏における空気の温度を検出する空気温度検出部とを有し、前記相対湿度検出部が検出した相対湿度が、前記空気温度検出部が検出した空気温度に対する所定の相対湿度より高い場合、前記圧縮機制御部が、前記圧縮機の回転数を所定回転数だけ下げることが望ましい。
【００１９】
本発明によれば、相対湿度検出部が検出した相対湿度が、空気温度検出部が検出した空気温度に対する所定の相対湿度より高い場合にのみ、圧縮機の回転数を下げるため、より確実に通風ダクトへの露付きを防止することができる。つまり、所定の相対湿度を、空気温度検出部が検出した空気温度に基づいて選択するため、通風ダクトへの露付きが起きやすい条件では、より低い所定の相対湿度を選択し、通風ダクトへの露付きをより確実に防止することができる。
【００２０】
上記発明においては、前記露付き情報検出部が、前記天井裏における空気の相対湿度を検出する相対湿度検出部と、前記天井裏における空気の温度を検出する空気温度検出部とを有し、前記相対湿度検出部が検出した相対湿度が、前記空気温度検出部が検出した空気温度に対する所定の相対湿度より高い場合、前記開度制御部が、前記絞り部の開度を制御することが望ましい。
【００２１】
本発明によれば、例えば、相対湿度検出部が検出した相対湿度が、空気温度検出部が検出した空気温度に対する所定の相対湿度より高い場合にのみ、絞り部の開度を大きくするように制御するため、より確実に通風ダクトへの露付きを防止することができる。つまり、所定の相対湿度を、空気温度検出部が検出した空気温度に基づいて選択するため、通風ダクトへの露付きが起きやすい条件では、より低い所定の相対湿度を選択し、通風ダクトへの露付きをより確実に防止することができる。
【００２２】
上記発明においては、前記露付き情報検出部が、前記天井裏における空気温度が露点温度以下であるか否かを検出する露点検出部を有し、前記露点温度検出部により、前記天井裏における空気温度が露点温度以下であると検出された場合、前記圧縮機制御部が、前記圧縮機の回転数を所定回転数だけ下げることが望ましい。
本発明によれば、露点検出部により、天井裏における空気温度が露点温度以下であると検出された場合に、圧縮機の回転数を下げるため、通風ダクトへの露付きをより確実に防止することができる。
【００２３】
上記発明においては、前記露付き情報検出部が、前記天井裏における空気温度が露点温度以下であるか否かを検出する露点検出部を有し、前記露点温度検出部により、前記天井裏における空気温度が露点温度以下であると検出された場合、前記開度制御部が、前記絞り部の開度を制御することが望ましい。
本発明によれば、例えば、露点検出部により、天井裏における空気温度が露点温度以下であると検出された場合に、開度制御部が絞り部の開度を大きくするように制御するため、通風ダクトへの露付きをより確実に防止することができる。
【００２４】
本発明の空気調和機の制御方法は、上記本発明の室内機ユニットの制御方法が行なわれる室内機ユニットと、前記冷媒を圧縮して前記室内熱交換器に供給する圧縮機と、前記冷媒と室外空気との間で熱交換を行なう室外熱交換器と、を有する室外機ユニットと、を有することを特徴とする。
本発明によれば、露付き情報検出部により検出された湿度が所定湿度より高い場合において、吹き出し空気温度調整部が通風ダクト内を流れる空気温度を所定温度だけ高くするため、通風ダクトの外面に露付きが発生することを防止できる。
露付き情報検出部は筐体の外部に配置されているため、上記空気の正確な湿度を検出でき、通風ダクトの外面に露付きが発生しやすいときに確実に上記空気温度を所定温度だけ高くすることができる。
【００２５】
本発明の室内機ユニットは、天井裏に配置された筐体と、該筐体内に配置され、外部から供給された冷媒と室内空気とを熱交換させる室内熱交換器と、前記筐体内に配置され、室内空気を吸込むとともに前記室内熱交換器に導通させる室内ファンと、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットであって、前記露付き情報検出部により検出された湿度が、所定湿度より高い場合、前記通風ダクト内を流れる空気温度を所定温度だけ高くする吹き出し空気温度調整部を備えることを特徴とする。
【００２６】
本発明によれば、露付き情報検出部は、筐体の外部に配置されているため、天井裏における空気と直接接触しており、上記空気の正確な湿度を検出できる。そのため、通風ダクト内を流れる空気温度を高くする必要があるとき、つまり、通風ダクトの外面に露が付きやすいときに、確実に上記空気温度を所定温度だけ高くすることができる。
【００２７】
本発明の空気調和機は、天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、を有する空気調和機であって、前記露付き情報検出部により検出された湿度が、所定湿度より高い場合、前記圧縮機の回転数を所定回転数だけ下げる圧縮機制御部を備えることを特徴とする。
【００２８】
本発明によれば、露付き情報検出部により検出された湿度が所定湿度より高い場合において、圧縮機制御部が圧縮機の回転数を所定回転数だけ下げるため、空気調和機における冷媒循環流量を減らし、冷凍能力を下げることができる。冷凍能力が下がると、室内熱交換器における室内空気との熱交換量が減少し、室内空気つまり通風ダクト内を流れる空気温度を所定温度だけ高くすることができる。
【００２９】
本発明の空気調和機は、天井裏に配置された筐体と、該筐体内に配置され、冷媒と室内空気とを熱交換させる室内熱交換器と、前記天井裏に配置されるとともに熱交換された室内空気を室内に導く通風ダクトと、前記筐体の外部に設けられるとともに、少なくとも前記天井裏における空気の湿度を検出する露付き情報検出部と、を有する室内機ユニットと、前記冷媒を圧縮して室外熱交換器に供給する圧縮機と、前記冷媒と室外空気との間で熱交換を行なう室外熱交換器と、室外熱交換器から供給された高圧冷媒を減圧させる絞り部と、を有する室外機ユニットと、を有する空気調和機であって、前記露付き情報検出部により検出された湿度が、所定湿度より高い場合、前記開度制御部が、前記絞り部の開度を制御することを特徴とする。
【００３０】
本発明によれば、例えば、露付き情報検出部により検出された湿度が所定湿度より高い場合において、開度制御部が絞り部の開度を所定開度だけ大きくするように制御することで、室内熱交換器内の冷媒温度を上昇させることにより、室内空気つまり通風ダクト内を流れる空気温度を所定温度だけ高くすることができる。
【００３１】
本発明の空気調和機は、上記本発明の室内機ユニットと、前記冷媒を圧縮して前記室内熱交換器に供給する圧縮機と、前記冷媒と室外空気との間で熱交換を行なう室外熱交換器と、室外熱交換器から供給された高圧冷媒を減圧させる絞り部と、を有する室外機ユニットと、を有することを特徴とする。
本発明によれば、露付き情報検出部は筐体の外部に配置されているため、上記空気の正確な湿度を検出でき、通風ダクトの外面に露付きが発生しやすいときに確実に上記空気温度を所定温度だけ高くすることができる。
【発明の効果】
【００３２】
本発明の室内機ユニットの制御方法、空気調和機の制御方法、室内機ユニットおよび空気調和機によれば、露付き情報検出部により検出された湿度が所定湿度より高い場合において、吹き出し空気温度調整部が通風ダクト内を流れる空気温度を所定温度だけ高くするため、通風ダクトの外面に露が付きくことを防止できるという効果を奏する。
露付き情報検出部は天井裏における空気と直接接触しており、上記空気の正確な湿度を検出できる。そのため、通風ダクトの外面に露が付きやすいときに、確実に上記空気温度を所定温度だけ高くすることができ、通風ダクトへの露付きを確実に防止することができるという効果を奏する。
【発明を実施するための最良の形態】
【００３３】
〔第１の実施の形態〕
以下、本発明の第１の実施形態に係るマルチ型空気調和機について図１から図６を参照して説明する。
図１は、本実施形態におけるマルチ型空気調和機の回路構成を説明する図である。図２は、図１のマルチ型空気調和機の配置を説明する概略図である。
マルチ型空気調和機（空気調和機）１は、図１および図２に示すように、室外機ユニット３と、室外機ユニット３と接続された複数台の室内機ユニット５（図示の例では、室内機ユニット５Ａ，５Ｂの２台）と、から概略構成されている。これら室内機ユニット５及び室外機ユニット３との間には、冷媒を流す冷媒配管７や電気配線９等が配置されている。
なお、図中の各符号に付記されたＡ，Ｂは、２つの室内機ユニットを区別して説明する場合にのみ使用するものとする。
【００３４】
室外機ユニット３は、図２に示すように、家屋等の外に配置され、室内機ユニット５は、家屋等の内部であって部屋の天井の上、つまり、天井裏に配置されている。本実施形態においては、室内機ユニット５が下がり天井の内部に配置されている実施形態に適用して説明する。
【００３５】
室外機ユニット３は、冷媒を圧縮して送出する圧縮機１１と、冷媒の循環方向を切り換える四方弁１３と、冷媒と外気との間で熱交換を行う室外熱交換器１５と、電子膨張弁（絞り部）２１と、から概略構成されている。圧縮機１１はインバータ制御されており、その回転速度を変化させることができる。なお、この室外機ユニット３には、この他にも図示されていない室外ファン、レシーバ、サービスバルブ及びストレーナ等の機器類や温度センサ等のセンサ類が設けられている。
【００３６】
図３は、図２の室内機ユニット５の構成を説明する断面図である。
室内機ユニット５は、図１から図３に示すように、ケーシング（筐体）１７内に配置された室内熱交換器１９や室内ファン２３と、ケーシング１７の外部に配置されたコントロールボックス２５と、ケーシング１７から吹き出された空気が流通する通風ダクト２７と、から概略構成されている。
【００３７】
ケーシング１７の下面には、図２および図３に示すように、室内の空気を吸込む吸込口２９が形成され、側面には室内熱交換器１９により熱交換された空気が吹き出す吹出口３１が形成されている。通風ダクト２７は、吹出口３１と対向する位置に配置され、吹出口３１から流出した空気が通風ダクト２７内に流入するように構成されている。
ケーシング１７の内部には、吸込口２９に隣接して室内ファン２３が配置され、吹出口３１に隣接して室内熱交換器１９が配置されている。
【００３８】
室内熱交換器１９には、図１に示すように、流入する冷媒温度を計測する流入冷媒温度センサ３３と、流出する冷媒温度を計測する流出冷媒温度センサ３５とが配置されている。
【００３９】
図４は、図２の室内機ユニットにおける制御部の配置位置を説明する部分斜視図である。
制御部（圧縮機制御部、絞り部開度制御部、吹き出し空気温度調整部）３７は、図１および図４に示すように、ケーシング１７の側面であって、外側に配置されたコントロールボックス２５の内部に収納されている。コントロールボックス２５は、板金などから形成された箱と、略Ｌ字状に形成された脚部材３９とから構成されている。コントロールボックス２５は、脚部材３９を介してケーシング１７に固定され、ケーシング１７から離間して配置されている。
コントロールボックス２５の側面には、天井裏における空気の温度を検出する空気温度センサ（空気温度検出部、露付き情報検出部）４１と、天井裏における空気の相対湿度を検出する空気湿度センサ（相対湿度検出部、露付き情報検出部）４３と、を内部に収納するセンサボックス４５が配置されている。センサボックス４５には、スリット４７が形成され、天井裏の空気と空気温度センサ４１および空気湿度センサ４３とが直接接触するように構成されている。
【００４０】
制御部３７は、図１に示すように、空気温度センサ４１と、空気湿度センサ４３と、電気的に接続され、各センサ４１，４３の出力が制御部３７に入力されている。一方、制御部３７は、室外機ユニット３の圧縮機１１とも電気的に接続され、圧縮機１１に対して回転速度制御信号を出力している。
【００４１】
通風ダクト２７は、図２に示すように、天井裏に配置され、室内機ユニット５から吹き出された空気を室内機ユニット５から離れた位置に導き、室内へ送風するように構成されている。
【００４２】
２台の室内機ユニット５Ａ，５Ｂは、図１に示すように、それぞれ室外機ユニット３内のパイプコネクタ４９，ヘッダー５１で分岐した冷媒配管７Ａ，７Ｂに接続されている。また、室外機ユニット３内の各冷媒配管７Ａ，７Ｂには、それぞれ独立して動作する電子膨張弁２１Ａ，２１Ｂが、室外熱交換器１５と室内機ユニット５Ａ，５Ｂとの間であって、室外機ユニット３内に配置されている。
【００４３】
次に、上記の構成からなるマルチ型空気調和機１における作用について説明する。
まず、マルチ型空気調和機１における暖房運転時の作用について説明する。
冷媒は圧縮機１１において高温高圧とされ、四方弁１３を通過してヘッダー５１に導かれる。この冷媒は、ヘッダー５１から室内機ユニット５の室内熱交換器１９へ導かれ、室内空気に放熱する。放熱した冷媒は、電子膨張弁２１を通過する際に減圧されて低温低圧の冷媒となり、室外熱交換器１５に流入する。
室外熱交換器１５に流れ込んだ冷媒は、この熱交換器を通過する際に室外の空気から熱を吸収する。熱を吸収した冷媒は、四方弁１３を通過して圧縮機１１に吸入される。以後、上述と同様の過程が繰り返される。
【００４４】
次に、マルチ型空気調和機１における冷房運転およびドライ運転時の作用について説明する。
冷房運転およびドライ運転は、上述した暖房運転から四方弁１３を操作して冷媒の循環方向を切り換えることにより実施される。
冷房運転およびドライ運転では、圧縮機１１から四方弁１３までの冷媒の流れは暖房運転時と同様である。圧縮された冷媒は、四方弁１３から室外熱交換器１５へ導かれ、室外熱交換器１５において、冷媒はその熱を室外空気に放熱する。放熱した冷媒は、電子膨張弁２１を通過することで減圧され、再び冷媒配管７を通り室内機ユニット５の室内熱交換器１９に送られる。
【００４５】
室内熱交換器１９に流入した冷媒は、室内熱交換器１９において室内空気から熱を吸収して当該室内気を冷却する。
室内熱交換器１９から流出した冷媒は、ヘッダー５１，四方弁１３を通過して再び圧縮機１１に吸入される。
【００４６】
次に本実施形態における特徴である通風ダクト２７への露付き防止制御について説明する。
図５は、本実施形態における露付き防止制御を説明するフローチャートである。
まず、制御部３７は、空気調和機１が冷房運転またはドライ運転を行なっているかを判別する（ステップ１）。空気調和機１が、冷房運転またはドライ運転を行っている場合には次の制御ステップへ進み、それ以外の運転、つまり暖房運転を行っている場合には、通風ダクト２７に露が付く恐れはないため、露付き防止制御は終了される。
空気調和機１が冷房運転またはドライ運転を行なっている場合には、その運転開始から所定時間（例えば３０分）経過後に、制御部３７は空気温度センサ４１および空気湿度センサ４３から天井裏における空気の温度および湿度を取得する（ステップ２）。
【００４７】
図６は、露付き防止制御の開始、終了の判定に用いるマップである。
そして、制御部３７は、取得した天井裏空気温度および天井裏空気湿度に基づいて露付き防止制御を開始するか終了するかを判定する（ステップ３）。この判定は、取得された上記空気温度および上記空気湿度と、図６に示すマップとに基づいて判定される。つまり、上記空気温度および上記空気湿度により定まる点が、図６中のＯＮ領域Ａに含まる場合には露付き防止制御が開始され（ステップ４）、図６中のＯＦＦ領域Ｂに含まれる場合には露付き防止制御は終了される。
なお、ＯＮ領域ＡとＯＦＦ領域Ｂとの境目にあたる折線Ｌの線上は、ＯＮ領域Ａに含まれている。
【００４８】
図６において示されているマップは、横軸を天井裏における空気温度ＴＯ（℃）、縦軸を天井裏における空気湿度ＨＳ（％）としている。空気温度ＴＯおよび空気湿度ＨＳは、それぞれ空気温度センサ４１および空気湿度センサ４３により検出された空気温度および空気湿度に対応するものである。
折線Ｌは、空気温度ＴＯが５℃から５０℃の範囲において、右上がりの直線となっており、空気温度ＴＯが５０℃より高い範囲では、空気湿度ＨＳが９５％で一定になるよう、略水平方向に伸びている。また、空気温度ＴＯが５℃においては、空気湿度ＨＳが５８％の点から略垂直上方に伸びている。上述のＯＮ領域Ａは、折線Ｌの上方領域（高湿度領域）であり、ＯＦＦ領域Ｂは、下方領域（低湿度領域）である。
【００４９】
ここで、天井裏における空気は、一般に室内空気の影響を受けるとともに、室外空気の影響も受けている。つまり、空気温度ＴＯが低い場合には、室外空気の温度も低くなっていることが推定され、空気温度ＴＯが高い場合には、室外空気の温度も高くなっていることが推定される。
室外空気の温度が低い場合には、冷媒回路内の圧力は圧縮機１１の吐出側から電子膨張弁２１までの高圧側圧力、電子膨張弁２１から圧縮機１１の吸入側までの低圧側圧力ともに低くなっている。この状態は、空気調和機１として冷房能力が出やすい状態であるため、通風ダクト２７に露付きが生じやすい状態である。そのため、空気湿度ＨＳが比較的低い領域から露付き防止制御を開始する。
一方、室外空気の温度が高い場合には、冷媒回路内の圧力は、高圧側圧力、低圧側圧力ともに高くなっている。この状態は、空気調和機１として冷房能力が出にくい状態であるため、通風ダクト２７に露付きが生じにくい状態である。そのため、空気湿度ＨＳが比較的高い領域まで露付き制御を行わなくてもよい。
【００５０】
露付き防止制御が開始されると、制御部３７は、圧縮機１１に対して運転回転数を所定回転数（例えば２０回転毎分（ｒｐｍ））だけ低下させる指令を出力する。なお、圧縮機１１の回転数は、室内ファン２３の回転数に対応する最低回転数以下の回転数にならないように制御されている。
【００５１】
制御部３７は、露付き防止制御の開始後、再び空気温度センサ４１および空気湿度センサ４３から天井裏空気の温度および湿度を取得する（ステップ２）。そして、制御部３７は、再取得した空気温度および空気湿度に基づいて、露付き防止制御を継続するか、終了するかを判定する（ステップ３）。
ステップ３において、制御部３７が露付き防止制御を継続する判定を行う限り、露付き防止制御は継続される。
【００５２】
ただし、空気調和機１の運転モードが、暖房運転など、冷房運転またはドライ運転以外の運転モードになった場合には、上述の判定条件とは関係なく、露付き防止制御は終了される。
【００５３】
なお、アンチフロスト制御や冷凍サイクルシステム保護制御が行われている場合にはこれらの制御を優先することとし、上述の露付き防止制御は行われない。
ここで、アンチフロスト制御とは、室内熱交換器１９等が凍結することを防止する制御をいう。冷凍サイクルシステム保護制御とは、室内熱交換器１９における熱交換器温度と吸込み空気温度との温度差が小さく、圧縮機１１が高回転数で運転されている場合（例えば、冷媒量不足のような場合）において、所定時間だけ圧縮機１１の運転回転数を低下させる制御をいう。
【００５４】
上記の構成によれば、空気温度センサ４１および空気湿度センサ４３により検出された天井裏空気における空気温度および空気湿度が、所定温度および所定湿度より高い場合において、制御部３７が、圧縮機１１を制御することにより、通風ダクト２７内を流れる空気温度を所定温度だけ高くできる。そのため、通風ダクト２７の外面温度を上げることができ、通風ダクト２７に露が付くことを防止できる。
【００５５】
空気温度センサ４１および空気湿度センサ４３は、ケーシング１７の外部に配置されているため、天井裏における空気と直接接触しており、上記空気の正確な温度および相対湿度を検出できる。そのため、通風ダクト２７内を流れる空気温度を高くする必要があるとき、つまり、通風ダクト２７の外面に露が付きやすいときに、確実に上記空気温度を所定温度だけ高くすることができる。
【００５６】
空気湿度センサ４３が検出した相対湿度が、空気温度センサ４１が検出した空気温度に対する所定の相対湿度より高い場合にのみ、通風ダクト２７内を流れる空気温度を所定温度だけ高くするため、より確実に通風ダクト２７への露付きを防止することができる。つまり、図６に示すマップ上において、空気温度センサ４１が検出した空気温度と空気湿度センサ４３が検出した相対湿度とにより定まる点が、ＯＮ領域Ａに含まれる場合においてのみ露付き防止制御を行うことでより確実に通風ダクト２７への露付きを防止することができる。
より詳しくは、マルチ型空気調和機１の冷房能力が出やすい比較的空気温度の低い領域では、低い相対湿度の状態から露付き防止制御を行うことで通風ダクト２７への露付きを確実に防止できる。一方、マルチ型空気調和機１の冷房能力が出にくい比較的空気温度の高い領域では、高い相対湿度の状態において露付き防止制御を行う。
【００５７】
また、通風ダクト２７に露付きが発生する相対湿度よりも低い相対湿度から露付き防止制御を行うことで、通風ダクト２７内を流れる空気温度の調整をより早く行うことができる。そのため、通風ダクト２７から室内に流入する空気温度の急激な変化を防止することができ、使用者が感じる不快感を減らすことができる。
【００５８】
なお、上述の実施形態のように、コントロールボックス２５の側面に配置された空気温度センサ４１および空気湿度センサ４３により検出された温度および湿度に基づいて露付き防止制御の開始、終了を判定してもよいし、空気温度センサ４１および空気湿度センサ４３の代わりに露点センサ（露点検出部）をコントロールボックス２５の側面に配置し、露点センサの出力に基づいて露付き防止制御の開始、終了を判定してもよい。ここで、露点センサとは、測定対象の空気が露点に到達した場合に、所定の信号を出力するセンサである。
この構成にすることにより、使用するセンサの数を減らすことができる。
【００５９】
なお、上述のように、圧縮機１１としてインバータ制御され、回転数が可変な圧縮機を用いてもよいし、一定回転数でのみ運転される圧縮機を用いてもよい。
一定回転数の圧縮機を用いる場合、制御部３７は、圧縮機に対して運転停止信号を出力することにより露付き防止制御（図５のステップ４）を行うことができる。
【００６０】
〔第１の実施形態の変形例〕
次に、本発明の第１の実施形態の変形例について図７を参照して説明する。
本実施形態のマルチ型空気調和機の基本構成は、第１の実施形態と同様であるが、第１の実施形態とは、露付き防止制御の終了方法が異なっている。よって、本実施形態においては、図７を用いて露付き防止制御の終了方法のみを説明し、その他構成要素等の説明を省略する。
図７は、本実施形態における露付き制御の別の実施例を説明するフローチャートである。
なお、第１の実施形態と同一の構成要素等については、同一の符号を付してその説明を省略する。
【００６１】
本変形例において、露付き防止制御の開始に至るまでの過程（ステップ１からステップ４まで）は、第１の実施形態と同様であるので、その説明を省略する。
ステップ４において露付き防止制御が開始されると、制御部３７は、一定時間（例えば１時間程度）が経過したか否かを判定する（ステップ１５）。
一定時間が経過すると、ステップ２に戻り、制御部３７は再び天井裏における空気の温度および湿度を取得し（ステップ２）、露付き防止制御を継続するか終了するかを判定する（ステップ３）。露付き防止制御が継続される場合は、上述のステップ２からステップ１５が繰り返し行なわれる。
なお、このような制御を行うと、ステップ１５の判定時以外の時点で上記空気温度および上記空気湿度が図６のＯＦＦ領域Ｂに含まれることになっても、露付き防止制御が終了されるのはステップ１５の判定時以後の時点となる。
【００６２】
〔第２の実施形態〕
次に、本発明の第２の実施形態について図８を参照して説明する。
本実施形態のマルチ型空気調和機の基本構成は、第１の実施形態と同様であるが、第１の実施形態とは、露付き防止制御が異なっている。よって、本実施形態においては、図８を用いて露付き防止制御のみを説明し、その他の構成要素等の説明を省略する。
図８は、本実施形態におけるマルチ型空気調和機の回路構成を説明する図である。
なお、第１の実施形態と同一の構成要素等については、同一の符号を付してその説明を省略する。
【００６３】
マルチ型空気調和機（空気調和機）１０１は、図８に示すように、室外機ユニット３と、室外機ユニット３と接続された複数台の室内機ユニット５（図示の例では、室内機ユニット５Ａ，５Ｂの２台）と、から概略構成されている。
室内機ユニット５は、室内熱交換器１９と、外部に配置された制御部（開度制御部、吹き出し空気温度調整部）１３７と、天井裏における空気の温度を検出する空気温度センサ４１と、天井裏における空気の相対湿度を検出する空気湿度センサ４３と、から概略構成されている。また、電子膨張弁（絞り部）１２１は室外機ユニット３内に配置されている。
【００６４】
制御部１３７は、室外機ユニット３に配置された電子膨張弁１２１と電気的に接続され、電子膨張弁１２１に対して開度制御信号を出力している。一方、制御部１３７は、空気温度センサ４１と空気湿度センサ４３とも電気的に接続され、各センサ４１，４３の出力が制御部１３７に入力されている。
【００６５】
次に、上記の構成からなるマルチ型空気調和機１０１における特徴である通風ダクト２７への露付き防止制御について説明する。
本実施形態における露付き防止制御の流れは、第１の実施形態と同様であるので、その説明を省略する。
【００６６】
露付き防止制御が開始されると、制御部１３７は、電子膨張弁１２１に対してその開度を大きくする開度制御信号を出力する。電子膨張弁１２１は、開度制御信号に従って開度を大きくして、電子膨張弁１２１を通過する冷媒の減圧を小さくする。
【００６７】
上記の構成によれば、制御部１３７は、電子膨張弁１３７を通過する冷媒の減圧程度を小さくできるため、室内熱交換器１９内における冷媒を圧力高くし、冷媒温度を高くすることができる。
つまり、電子膨張弁１３７の開度を制御することで、マルチ型空気調和機１０１の冷凍能力を抑制し、通風ダクト２７内を流れる空気温度を所定温度だけ高くすることができる。その結果、通風ダクト２７の外面に露が付くことを防止できる。
【００６８】
〔第３の実施形態〕
次に、本発明の第３の実施形態について図９を参照して説明する。
本実施形態のマルチ型空気調和機の基本構成は、第１の実施形態と同様であるが、第１の実施形態とは、露付き防止制御が異なっている。よって、本実施形態においては、図９を用いて露付き防止制御のみを説明し、その他の構成要素等の説明を省略する。
図９は、本実施形態におけるマルチ型空気調和機の回路構成を説明する図である。
なお、第１の実施形態と同一の構成要素等については、同一の符号を付してその説明を省略する。
【００６９】
マルチ型空気調和機（空気調和機）２０１は、図９に示すように、室外機ユニット３と、室外機ユニット３と接続された複数台の室内機ユニット５（図示の例では、室内機ユニット５Ａ，５Ｂの２台）と、から概略構成されている。
室内機ユニット５は、室内熱交換器１９と、室内ファン２２３と、外部に配置された制御部（室内ファン制御部、吹き出し空気温度調整部）２３７と、天井裏における空気の温度を検出する空気温度センサ４１と、天井裏における空気の相対湿度を検出する空気湿度センサ４３と、から概略構成されている。
【００７０】
制御部２３７は、それぞれの室内機ユニット５に配置された室内ファン２２３と電気的に接続され、室内ファン２２３に対して回転速度制御信号を出力している。一方、制御部２３７は、空気温度センサ４１と空気湿度センサ４３とも電気的に接続され、各センサ４１，４３の出力が制御部２３７に入力されている。
【００７１】
次に、上記の構成からなるマルチ型空気調和機２０１における特徴である通風ダクト２７への露付き防止制御について説明する。
本実施形態における露付き防止制御の流れは、第１の実施形態と同様であるので、その説明を省略する。
【００７２】
露付き防止制御が開始されると、制御部２３７は、室内ファン２２３に対して回転速度を上げる制御信号を出力する。室内ファン２２３は、制御信号に従って回転速度を上げて、室内熱交換器１９を通過する空気流量を増加させる。
【００７３】
上記の構成によれば、制御部２３７は、室内ファン２２３の回転速度を制御することができ、室内熱交換器１９に導かれる室内空気の流量を制御できる。室内熱交換器１９を通過する室内空気流量を増やすことにより、通過する室内空気の単位体積あたりの熱交換量が減少させることができ、通風ダクト２７内を流れる空気温度を所定温度だけ高くすることができる。その結果、通風ダクト２７の外面に露が付くことを防止できる。
【００７４】
なお、室外機ユニット３において、室外熱交換器１５と熱交換するために吸込まれる室外空気の温度を検出する室外空気温度センサが設けられている場合には、室外空気温度センサの出力に基づいて露付き防止制御の開始、停止を判断することも可能である。かかる場合においては、室外空気の温度と天井裏における空気の温度とは所定の温度差があるため、室外空気温度を補正して露付き防止制御の開始、停止を判断することが好ましい。さらには、上述の温度差は季節により変動があるため、季節を考慮した補正係数を用いることが好ましい。
【００７５】
なお、本発明の技術範囲は上記実施形態に限定されるものではなく、本発明の趣旨を逸脱しない範囲において種々の変更を加えることが可能である。
例えば、上記の実施の形態においては、圧縮機や電子膨張弁や室内ファンのいずれか一つのみを制御する構成に適用して説明したが、これに限られることなく、圧縮機や電子膨張弁や室内ファンの中から任意の二つを同時に制御する構成や、圧縮機や電子膨張弁や室内ファンの全てを同時制御する構成等、その他各種の構成に適用することができるものである。
【図面の簡単な説明】
【００７６】
【図１】本発明における第１の実施形態に係るマルチ型空気調和機の回路構成を説明する図である。
【図２】図１のマルチ型空気調和機の配置を説明する概略図である。
【図３】図２の室内機ユニットの構成を説明する断面図である。
【図４】図２の室内機ユニットにおける制御部の配置位置を説明する部分斜視図である。
【図５】図１のマルチ型空気調和機における露付き防止制御を説明するフローチャートである。
【図６】図１のマルチ型空気調和機における露付き防止制御の開始、終了の判定に用いるマップである。
【図７】本発明における第１の実施形態の変形例に係るマルチ型空気調和機の露付き防止制御を説明するフローチャートである。
【図８】本発明における第２の実施形態に係るマルチ型空気調和機の回路構成を説明する図である。
【図９】本発明における第３の実施形態に係るマルチ型空気調和機の回路構成を説明する図である。
【符号の説明】
【００７７】
１，１０１，２０１  マルチ型空気調和機（空気調和機）
３  室外機ユニット
５  室内機ユニット
１５  室外熱交換器
１７  ケーシング（筐体）
１９，１９Ａ，１９Ｂ  室内熱交換器
２１，２１Ａ，２１Ｂ，１２１、１２１Ａ，１２１Ｂ  電子膨張弁（絞り部）
２３，２３Ａ，２３Ｂ，２２３，２２３Ａ，２２３Ｂ  室内ファン
２７  通風ダクト
３７，３７Ａ，３７Ｂ  制御部（圧縮機制御部、吹き出し空気温度調整部）
４１，４１Ａ，４１Ｂ  空気温度センサ（空気温度検出部、露付き情報検出部）
４３，４３Ａ，４３Ｂ  空気湿度センサ（相対湿度検出部、露付き情報検出部）
１３７，１３７Ａ，１３７Ｂ  制御部（開度制御部）
２３７，２３７Ａ，２３７Ｂ  制御部（室内ファン制御部、吹き出し空気温度調整部）
【図１】
2006336888.tif 000003
【図２】
2006336888.tif 000004
【図３】
2006336888.tif 000005
【図４】
2006336888.tif 000006
【図５】
2006336888.tif 000007
【図６】
2006336888.tif 000008
【図７】
2006336888.tif 000009
【図８】
2006336888.tif 000010
【図９】
2006336888.tif 000011